(57)【要約】      （修正有）【課題】野獣を捕獲する為の落とし穴式の捕獲装置であり、穴の上を野獣の通路とし、その上に餌を吊し野獣が其の餌を引くと通路が２つに割れて野獣が穴に落ち、瞬時に穴の側壁と穴の蓋が出来る野獣捕獲装置を提供する。【解決手段】平板２、４と格子１、３をＬ字型約９０度に固定し、平板部が地面に来るように２組を突き合わせ、その下が落とし穴５とし、通路の両側は衝立で天井は無く野獣には通路と見せかけ通路上に餌１３を吊し野獣が餌を引くと通路が２つに割れて野獣を穴に落とし、簡単で確実に捕獲する事が出来る。【選択図】図３
0003169756.tif 000002
【実用新案登録請求の範囲】
【請求項１】
１辺が捕獲しようとする野獣の体長の約２倍位と他の１辺が体高かその１／２位の寸法の平板又は鋼板（いずれも補強等で野獣の体重を支える事が出来る）と、同寸法の野獣の檻として力に耐える鋼鉄製の格子、此の２枚の長辺を軸に約９０度に固定したもの、（ボルト止めとし取り外す事も出来る）この２組のＬ字型の盤の平板部を突き合わせＵ字溝状に地面に置きその下を落し穴として野獣の体高か少し深めに地面を掘る、穴の上に有る此の組み合わせの平板部は通路で格子部は通路両脇の衝立の様に見えるが此のＬ字型２組の盤は両側の約９０度に固定した軸を中心として内側に約９０度回転出来る機構とする、此の通路は野獣の体重を支える程度の強度を持たせ、餌は中央部に野獣の目線より少し高めに吊り下げ野獣の注意力を足下から餌に向かわせ通路中央部に誘う、餌の先端は図３の様にこの平板部の２つ割り機構の留め金に連結し野獣が２−３ＫＧくらいの弱い力で餌を引くと止め金が外れ平板部は２つに割れて野獣の体重で内側に約９０度回転し野獣は穴に落ち地面となっていた平板部は穴の両側壁となり、衝立部は穴の蓋となり野獣を確実に捕獲できる事を特徴とする、通路が２つに割れて穴の側壁となり通路両脇の衝立が穴の蓋となる野獣落とし穴。
【考案の詳細な説明】
【技術分野】
【０００１】    本考案は野獣を捕獲するための落とし穴に関するものである。
【背景技術】
【０００２】  近年無人の果樹園、田畑を荒らす野獣による被害は増加傾向にありその野獣の個体数は確実に増えている、是を防ぐために狩猟、又餌で鉄檻の中に誘い込む罠、等による捕獲が行なわれているが追いつかない、然し威嚇では被害の範囲が広がるのみで射殺又は捕獲以外に方法はない。
【先行技術文献】
【特許文献】
【０００３】
【特許文献１】      特明  １５，６３７
【考案の概要】
【考案が解決しようとする課題】
【０００４】    本考案は、太古より行はれていた地面を掘った落とし穴で野獣を捕獲するものであるが、野獣が落ちると同時に蓋が出来る様な装置を有するもので非常に簡単で落ちた野獣は確実に捕獲でき、費用も安く、その設備数を増やす事により上記の欠点は解決可能である。
【課題を解決するための手段】
【０００５】    本考案は、１辺が捕獲しようとする野獣の体長の約２倍位で、他の１辺が体高の１／２位の寸法の平板又は鋼板（何れも補強等で野獣の体重を支える事が出来る）と、同寸法の野獣の檻として力に耐える位の鋼鉄製の格子状の盤、此の２枚の長辺を軸に約９０度に固定（ボルト止めとし取り外す事も出来る）したもの、２組を平板部が地面に来るようにして突き合わせ、その下を落とし穴として野獣の体高か少し深めに地面を掘り四角は確実に地面に固定する、このＬ字型２組の盤は両側の約９０度に固定した軸を中芯として図２のように互いに内側に約９０度に回転可能な機構とする、一見この装置は地面に置いた大きなＵ字溝で平板部が通路で格子部は通路両脇の衝立となり天井は無く門型の柱が四本あるだけで野獣が見ても完全な通路である、この盤は野獣の体重を支えられる充分の強度で野獣が乗る事も出来る、餌は中央部に野獣の目線より少し高めに吊り下げ野獣に注意力を足下から餌の方に向かわせ野獣を盤の中央部に誘う、餌の先端はこの平板部の２つ割り機構の回転防止装置図３、の止め金に連結し野獣が弱い力で餌を引くと２つ割り機構の留め金が外れて通路が２つに割れて野獣が自重で穴に落ち地面となっていた平板部は穴の側壁となり衝立部は落とし穴の蓋となる、簡単なロックで野獣は逃げる事は出来ない為確実に捕獲する事が出来る、その後の処理として捕獲以外は地面に槍、叉は有刺鉄線等を置き自殺させる事も出来る。
【考案の効果】
【０００６】    上述の様に、本考案は簡単な設備で穴に落ちた野獣は逃げる事は出来ない、落ちた野獣が穴から飛び上がることも出来ない為、地面を掘る穴は淺くて済み設備は特別な機械加工部もなく屋外といえども長年の使用に耐える、通路上が餌場で檻の中の餌場とは違い野獣の警戒は少ない、野獣が傷を負って逃げ出すこともなく捕獲は確実で人には安全である、此の装置の通路の長さを野獣の体長の２，０倍近くとすれば、中央に餌を吊すと穴の両方向からの侵入でも捕獲可能である。
【図面の簡単な説明】
【０００７】
【図１】  本装置の野獣侵入前の鳥瞰図である
【図２】  本装置の野獣侵入、前、後、（鳥瞰図Ａ−Ａ部断面）の平板と、衝立の形を示す
【図３】  本装置通路の中央に吊り下げた餌と通路の２つ割り機構の連結略図
【考案を実施するための形態】
【０００８】  本装置が特別に仕掛けのない通路で有るような周囲の雰囲気を作る事は重要野獣の餌を通路上野獣の体高の差を見て１段ま又は２段に吊り下げる事も出来る。
【実施例】
【０００９】    以上図１の如くセットするが５００ＫＧチェンブロックは平板、格子の組み立て、捕獲した野獣の穴からの取り出し等便利である、装置を確実にセットし周囲の雰囲気、餌の位置、地面（鋼板）にも偽装工作をおこない準備完了となり後は野獣の侵入を待つのみである。
【符号の説明】
【００１０】１      格子  右側
２      格子  左側
３      通路  右側
４      通路  左側
５      落とし穴
６      回転軸右側
７      回転軸左側
８      中央門柱
９      パイプ
１０    ５００Ｋチエンブロック
１１    留め金調整スプリング
１２    餌、留め金連結機構
１３    餌
【図１】
0003169756.tif 000003
【図２】
0003169756.tif 000004
【図３】
0003169756.tif 000005
【手続補正書】
【提出日】平成23年5月24日(2011.5.24)
【手続補正２】
【補正対象書類名】実用新案登録請求の範囲
【補正対象項目名】全文
【補正方法】変更
【補正の内容】
【実用新案登録請求の範囲】
【請求項１】
１辺が捕獲しようとする野獣の体長の１，５ー３，０倍位で他の１辺が体高位の寸法の矩形で野獣の体重を支える事が出来る強度の平板又は鋼板と、同寸法の野獣の檻として力に耐える鋼鉄製の格子又は串状の盤、此の２枚の長辺を軸に約９０度にボルトで固定したもの、２組を平板部が地面に来るようにして突き合わせ、其の下を落とし穴として野獸の体高より少し深く掘り４隅は確実に地面に固定し、此のＬ字型２組の盤は両側の約９０度に固定した軸を中芯に内側に約９０度回転可能な機構とする、此の装置は一見大きなＵ字溝で平板部が通路で格子部は通路脇の衝立に見せ掛け中央に野獣の目線より高めに餌を吊り下げ野獣を中央に誘い入れる、此の餌は通路二つ割回転機構の回転防止装置の止め金に連結しており野獣が弱い力で餌を引くと其の止め金が外れ通路の平板部が二つに割れて野獣は穴落ち通路が穴の側壁となり通路両脇の衝立が穴の蓋となり野獣を確実に捕獲出来る事を特徴とする、野獣落とし穴を備えた野獣捕獲装置。